(57)【特許請求の範囲】
【請求項１】
所定の入力手段による入力操作で、棒状回転部材を時計回り及び反時計回りに略３６０度回転可能とした回転装置と、
前記棒状回転部材先端側が遊嵌する略凹部状に切り欠かれた切り欠き部が設けられた揺動板と、
前記棒状回転部材先端側に設けられて、前記切り欠き部内に配置され、該切り欠き部の両切り欠き壁に当接して、前記揺動板を揺動させる棒状回転部材から突出した操作片と、
弾性部材により錠受けに対し施錠する方向へ付勢力を有して取り付けられて、施錠状態としてあると共に、前記揺動板の揺動と連動し、錠受けへの施解錠方向に向けて揺動するロックプレートと、
前記ロックプレートの略中央部に設けられた略方形状をなす貫通孔内に入り込み、前記揺動板の揺動とロックプレートの揺動と連動するよう、揺動板から突出して設けられた揺動ピンと、
を備え、
前記操作片が回転することにより、前記切り欠き部の両切り欠き壁に当接して前記揺動板を揺動させ、前記揺動に伴って前記揺動ピンが前記貫通孔内を移動し、該移動に連動して揺動する前記ロックプレートを施解錠方向へスライド揺動させて施解錠する、
ことを特徴とした錠装置。
【請求項２】
所定の入力手段による入力操作で、棒状回転部材を時計回り及び反時計回りに略３６０度回転可能とした回転装置と、
前記棒状回転部材先端側が遊嵌する略凹部状に切り欠かれた切り欠き部が設けられた揺動板と、
前記棒状回転部材先端側に設けられて、前記切り欠き部内に配置され、該切り欠き部の両切り欠き壁に当接して、前記揺動板を揺動させる棒状回転部材から突出した操作片と、
弾性部材により錠受けに対し施錠する方向へ付勢力を有して取り付けられて、施錠状態としてあると共に、前記揺動板の揺動と連動し、錠受けへの施解錠方向に向けて揺動するロックプレートと、
前記ロックプレートの略中央部に設けられた略方形状をなす貫通孔内に入り込み、前記揺動板の揺動とロックプレートの揺動と連動するよう、揺動板から突出して設けられた揺動ピンと、
を備え、
前記操作片が回転することにより、前記切り欠き部の両切り欠き壁に当接して前記揺動板を揺動させ、前記揺動に伴って前記揺動ピンが前記貫通孔内を移動し、該移動に連動して揺動する前記ロックプレートを施解錠方向へスライド揺動させて施解錠する、錠装置であり、
該錠装置には、非常時解錠を行うシリンダ錠が併設され、該シリンダ錠が前記ロックプレートを解錠方向へスライドさせる、
ことを特徴とした錠装置。
【請求項３】
前記錠受けは、前記ロックプレートが施錠方向へスライド揺動したときに、ロックプレートの先端側を収納可能にした凹溝条部として形成された、
ことを特徴とする請求項１または請求項２記載の錠装置。
【請求項４】
ケース内に収納された錠装置であり、
所定の入力手段による入力操作で、棒状回転部材を時計回り及び反時計回りに略３６０度回転可能とした回転装置と、
前記棒状回転部材と直交するよう設けられ、棒状回転部材直交箇所には略凹部状に切り欠かれた切り欠き部が設けられたロックプレートと、
前記棒状回転部材先端側に設けられて、前記切り欠き部内に配置され、該切り欠き部の切り欠き方向に平行し、該切り欠き幅と略同等の長さを有して棒状回転部材から突出した操作片と、
を備え、
前記ロックプレート本体長手方向両側には所定の間隔をあけてロックプレート本体長手方向に向かって長い一対の長穴が穿設され、該一対の長穴には前記ケースの底部側から突設されたガイド軸部が貫挿し、前記ロックプレートは前記長穴の幅だけ左右方向へスライドすると共に、前記長穴の幅だけの該ロックプレート本体先端部の前記ケース外側への突出動作またはケース内への退出動作とするよう規制する構成とし、
前記操作片が回転することにより、前記切り欠き部の両切り欠き壁に当接して押圧し、前記ロックプレートを施解錠方向へ前記長穴の幅だけスライドさせて施解錠する、
ことを特徴とした錠装置。
【請求項５】
ケース内に収納された錠装置であり、
所定の入力手段による入力操作で、棒状回転部材を時計回り及び反時計回りに略３６０度回転可能とした回転装置と、
前記棒状回転部材と直交するよう設けられ、棒状回転部材直交箇所には略凹部状に切り欠かれた切り欠き部が設けられたロックプレートと、
前記棒状回転部材先端側に設けられて、前記切り欠き部内に配置され、該切り欠き部の切り欠き方向に平行し、該切り欠き幅と略同等の長さを有して棒状回転部材から突出した操作片と、
を備え、
前記ロックプレート本体長手方向両側には所定の間隔をあけてロックプレート本体長手方向に向かって長い一対の長穴が穿設され、該一対の長穴には前記ケースの底部側から突設されたガイド軸部が貫挿し、前記ロックプレートは前記長穴の幅だけ左右方向へスライドすると共に、前記長穴の幅だけの該ロックプレート本体先端部の前記ケース外側への突出動作またはケース内への退出動作とするよう規制する構成とし、
前記操作片が回転することにより、前記切り欠き部の両切り欠き壁に当接して押圧し、前記ロックプレートを施解錠方向へ前記長穴の幅だけスライドさせて施解錠する錠装置であり、
該錠装置には、非常時解錠を行うシリンダ錠が併設され、該シリンダ錠のロッドが前記ロックプレートを解錠方向へスライドさせる、
ことを特徴とした錠装置。
【請求項６】
前記ロックプレートを施錠方向へスライドさせることにより、該ロックプレート先端部をケース外側へ突出させ、該突出箇所に対応する部位に設けられた開き扉錠部材における施解錠用ロッド棒の回転阻止片に係止させて、前記開き扉を施錠する、
ことを特徴とした請求項４または請求項５記載の錠装置。
【発明の詳細な説明】
【技術分野】
【０００１】
この発明は、特に観音開き状の室内用扉、事務機器、住機器、家具、或いはその他の各種の観音開き状の開閉状態を保持・開放する用途に用いられる錠装置に関するものである。
【背景技術】
【０００２】
従来より、各種の錠装置が提案されており、特に近年ではいわゆる電気錠が各種提案されている。
しかしながら、これら従来の電気錠は、構造が複雑で、製造コストのパフォーマンスが悪く、また、特に観音開き状の室内用扉、事務機器、住機器、家具、或いはその他の各種の観音開き状の開閉状態を保持・開放する用途に用いられてはいなかった。
【特許文献１】特開2007-023761号公報
【発明の開示】
【発明が解決しようとする課題】
【０００３】
かくして本発明は前記従来の課題に対処すべく創案されたものであって、構造が比較的簡単で、製造コストのパフォーマンスもよく、また、特に観音開き状の室内用扉、事務機器、住機器、家具、或いはその他の各種の観音開き状の開閉状態を保持・開放する用途に適している錠装置を提供することを目的とするものである。
【課題を解決するための手段】
【０００４】
かくして、本発明による錠装置は、
所定の入力手段による入力操作で、棒状回転部材を時計回り及び反時計回りに略３６０度回転可能とした回転装置と、
前記棒状回転部材先端側が遊嵌する略凹部状に切り欠かれた切り欠き部が設けられた揺動板と、
前記棒状回転部材先端側に設けられて、前記切り欠き部内に配置され、該切り欠き部の両切り欠き壁に当接して、前記揺動板を揺動させる棒状回転部材から突出した操作片と、
弾性部材により錠受けに対し施錠する方向へ付勢力を有して取り付けられて、施錠状態としてあると共に、前記揺動板の揺動と連動し、錠受けへの施解錠方向に向けて揺動するロックプレートと、
前記ロックプレートの略中央部に設けられた略方形状をなす貫通孔内に入り込み、前記揺動板の揺動とロックプレートの揺動と連動するよう、揺動板から突出して設けられた揺動ピンと、
を備え、
前記操作片が回転することにより、前記切り欠き部の両切り欠き壁に当接して前記揺動板を揺動させ、前記揺動に伴って前記揺動ピンが前記貫通孔内を移動し、該移動に連動して揺動する前記ロックプレートを施解錠方向へスライド揺動させて施解錠する、
ことを特徴とし、
または、
所定の入力手段による入力操作で、棒状回転部材を時計回り及び反時計回りに略３６０度回転可能とした回転装置と、
前記棒状回転部材先端側が遊嵌する略凹部状に切り欠かれた切り欠き部が設けられた揺動板と、
前記棒状回転部材先端側に設けられて、前記切り欠き部内に配置され、該切り欠き部の両切り欠き壁に当接して、前記揺動板を揺動させる棒状回転部材から突出した操作片と、
弾性部材により錠受けに対し施錠する方向へ付勢力を有して取り付けられて、施錠状態としてあると共に、前記揺動板の揺動と連動し、錠受けへの施解錠方向に向けて揺動するロックプレートと、
前記ロックプレートの略中央部に設けられた略方形状をなす貫通孔内に入り込み、前記揺動板の揺動とロックプレートの揺動と連動するよう、揺動板から突出して設けられた揺動ピンと、
を備え、
前記操作片が回転することにより、前記切り欠き部の両切り欠き壁に当接して前記揺動板を揺動させ、前記揺動に伴って前記揺動ピンが前記貫通孔内を移動し、該移動に連動して揺動する前記ロックプレートを施解錠方向へスライド揺動させて施解錠する、錠装置であり、
該錠装置には、非常時解錠を行うシリンダ錠が併設され、該シリンダ錠が前記ロックプレートを解錠方向へスライドさせる、
ことを特徴とし、
または、
前記錠受けは、前記ロックプレートが施錠方向へスライド揺動したときに、ロックプレートの先端側を収納可能にした凹溝条部として形成された、
ことを特徴とし、
または、 
ケース内に収納された錠装置であり、
所定の入力手段による入力操作で、棒状回転部材を時計回り及び反時計回りに略３６０度回転可能とした回転装置と、
前記棒状回転部材と直交するよう設けられ、棒状回転部材直交箇所には略凹部状に切り欠かれた切り欠き部が設けられたロックプレートと、
前記棒状回転部材先端側に設けられて、前記切り欠き部内に配置され、該切り欠き部の切り欠き方向に平行し、該切り欠き幅と略同等の長さを有して棒状回転部材から突出した操作片と、
を備え、
前記ロックプレート本体長手方向両側には所定の間隔をあけてロックプレート本体長手方向に向かって長い一対の長穴が穿設され、該一対の長穴には前記ケースの底部側から突設されたガイド軸部が貫挿し、前記ロックプレートは前記長穴の幅だけ左右方向へスライドすると共に、前記長穴の幅だけの該ロックプレート本体先端部の前記ケース外側への突出動作またはケース内への退出動作とするよう規制する構成とし、
前記操作片が回転することにより、前記切り欠き部の両切り欠き壁に当接して押圧し、前記ロックプレートを施解錠方向へ前記長穴の幅だけスライドさせて施解錠する、
ことを特徴とし、
または、
ケース内に収納された錠装置であり、
所定の入力手段による入力操作で、棒状回転部材を時計回り及び反時計回りに略３６０度回転可能とした回転装置と、
前記棒状回転部材と直交するよう設けられ、棒状回転部材直交箇所には略凹部状に切り欠かれた切り欠き部が設けられたロックプレートと、
前記棒状回転部材先端側に設けられて、前記切り欠き部内に配置され、該切り欠き部の切り欠き方向に平行し、該切り欠き幅と略同等の長さを有して棒状回転部材から突出した操作片と、
を備え、
前記ロックプレート本体長手方向両側には所定の間隔をあけてロックプレート本体長手方向に向かって長い一対の長穴が穿設され、該一対の長穴には前記ケースの底部側から突設されたガイド軸部が貫挿し、前記ロックプレートは前記長穴の幅だけ左右方向へスライドすると共に、前記長穴の幅だけの該ロックプレート本体先端部の前記ケース外側への突出動作またはケース内への退出動作とするよう規制する構成とし、
前記操作片が回転することにより、前記切り欠き部の両切り欠き壁に当接して押圧し、前記ロックプレートを施解錠方向へ前記長穴の幅だけスライドさせて施解錠する錠装置であり、
該錠装置には、非常時解錠を行うシリンダ錠が併設され、該シリンダ錠のロッドが前記ロックプレートを解錠方向へスライドさせる、
ことを特徴とし、
または、
前記ロックプレートを施錠方向へスライドさせることにより、該ロックプレート先端部をケース外側へ突出させ、該突出箇所に対応する部位に設けられた開き扉錠部材における施解錠用ロッド棒の回転阻止片に係止させて、前記開き扉を施錠する、
ことを特徴とするものである。
【発明の効果】
【０００５】
本発明による錠装置であれば、構造が比較的簡単で、製造コストのパフォーマンスもよく、また、特に観音開き状の室内用扉、事務機器、住機器、家具、或いはその他の各種の観音開き状の開閉状態を保持・開放する用途に適している錠装置を提供できるなど優れた効果を奏する。
【発明を実施するための最良の形態】
【０００６】
まず、各図に基づいて本発明による錠装置１の構成及びその動作を説明する。
本発明の第１実施例の構成につき説明する。
図１に示すように、本実施例の錠装置１は、例えば、所定の入力手段による入力操作で、棒状回転部材２を時計回り及び反時計回りに略３６０度回転可能とした回転装置３と、前記棒状回転部材２の先端側が遊嵌する、例えば略凹部状に切り欠かれた切り欠き部４が設けられた揺動板３０と、前記棒状回転部材２の先端側に設けられて、前記切り欠き部４内に配置され、該切り欠き部４の両切り欠き壁３５，３５，に当接して、前記揺動板３０を揺動させる棒状回転部材２から突出した操作片６と、前記揺動板３０の揺動と連動し、錠受け１７への施解錠方向に向けて揺動するロックプレート５と、を備えて構成されている。
【０００７】
すなわち、前記操作片６が回転することにより、前記切り欠き部４の両切り欠き壁３５，３５，に当接して前記揺動板３０を揺動させ、前記揺動に連動して揺動する前記ロックプレート５を施解錠方向へスライド揺動させて施解錠する様構成されている。
また、該錠装置１には、非常時解錠を行うシリンダ錠２４が併設され、該シリンダ錠２４が前記ロックプレート５を解錠方向へスライドさせる様構成されている。
【０００８】
さらに、前記ロックプレート５は、バネ部材などの弾性部材により、施錠方向へ付勢力（図1に示す矢印方向）を有して取り付けられて構成されている。
そして、本実施例による錠受け１７は、前記ロックプレート５が施錠方向へスライド揺動したときに、該ロックプレート５の先端側を収納可能にすべく凹溝条部として形成されて錠受け１７とされている。なお、図１において符号１５は、観音開き状扉の一方側扉を示し、該観音開き状扉の一方側扉１５に錠装置１が例えば後付けされて取り付けられる。符号１９は観音開き状扉の一方側扉１５の裏側に取り付けられたロッド棒であり、該ロッド棒１９の略中間位置に錠受け１７が設けられる。
【０００９】
ここで、錠装置１のケース７内には、図１から理解される様に一端が軸支されて、該軸支部３２を軸として回動する揺動板３０が設けられている。
そして、該揺動板３０には、前記棒状回転部材２の先端側に設けられた操作片６が収納されるよう切り欠かれた切り欠き部４が設けられている。
ロックプレート５はその左側端部がケース７に軸支され、該軸支部３２を軸として回動するよう構成されている。なお、前記ロックプレート５は、バネ部材などの弾性部材により、施錠方向へ付勢力（図1に示す矢印方向）を有して取り付けられて構成されていることは既に述べたとおりである。
そして、当該ロックプレート５の略中央部には略方形状をなす貫通孔３３が設けられ、該貫通孔３３内には揺動板３０から突出された揺動ピン３４が入り込み、揺動板３０の揺動とロックプレート５の揺動が連動するよう構成されている。
また、符号２２は回転装置の回転制御用マイクロスイッチであり、該回転制御用マイクロスイッチ２２が棒状回転部材２の回転を制御するために構成されるものである。
【００１０】
ここで、棒状回転部材２が図１の矢印で示すように、反時計回りに回転すると、操作片６が切り欠き部４における左側の切り欠き壁３５を押す。すると、揺動板３０は軸支部３２を軸として図に向かって上側に移動する。この移動では、揺動ピン３４はロックプレート５の貫通孔３３内においてフリーな状態となり、ロックプレート５の先端部８は錠受け１７内に侵入する状態となる。何故なら、ロックプレート５はバネ部材３１により絶えず上側に付勢力を有しており、これにより、図１の矢印に示すように、ロックプレート５は錠受け１７内に入り込み、施錠状態となるのである。
【００１１】
これにより、本実施例による錠装置１はロック状態とされる。なお、操作片６は図２に示すように、図２に向かって下向きの状態になるまで回転し、その状態で停止する。回転装置の回転制御用マイクロスイッチ２２は棒状回転部材２の回転を制御するものとなる。
【００１２】
次に、解錠操作につき図３及び図４を参照して説明する。
図３は、棒状回転部材２を３６０度時計回りに回転させている状態を示すもので、操作片６は切り欠き部４における右側の切り欠き壁３５を押す。すると、揺動板３０は軸支部３２を支点として図３に向かって下側に揺動する。そして、この揺動に伴って揺動板３０から突出している揺動ピン３４が貫通孔３３内で下側に移動し、その結果、ロックプレート５が矢印のごとく下側に揺動し、解錠状態となる。すなわち、バネ部材による上側への付勢力に抗して解錠状態となる。
【００１３】
図３は時計回りに回転する途中の状態を示したもので、最終的には図４に示す状態で停止する。
図５は非常時解錠を行うシリンダ錠２４を操作し、該シリンダ錠２４によってロックプレート５を、図５に向かって強制的に下側に押し下げ、その結果解錠方向へスライドさせる状態を示したものである。
図６は本実施例の錠装置が施錠された状態を示す図であり、図７は観音開き状の扉の開閉状態を説明する図である。
【００１４】
なお、図１乃至図７において、符号２０は観音開き状扉１５，１６の開閉を検知する扉開閉検知用マイクロスイッチであり、符号２２はモータなど回転装置の回転制御用マイクロスイッチを示す。
図７から理解されるように、観音開き状扉１５，１６が確実に閉扉されたことを観音開き状扉１５，１６の開閉検知用マイクロスイッチ２０が検知するものとなる。
そして、当該マイクロスイッチ２０の信号を受け取った後、たとえば１秒後に、回転装置３を３６０度時計回りに回転させ、錠装置１を施錠状態とするのである。
【００１５】
次に、図８乃至図１３に示す第２実施例につき説明する。
第２実施例における錠装置１は、例えば錠装置１に対する施解錠信号を電気信号などで送出し、その施解錠の電気信号などを入力することで、棒状回転部材２をその軸芯方向を回転軸として時計回り及び反時計回りに略３６０度回転させる回転装置３と、前記棒状回転部材２と直交するよう設けられ、棒状回転部材２の直交箇所には略凹部状に切り欠かれた切り欠き部４が設けられたロックプレート５と、前記棒状回転部材２の先端側に設けられて、前記切り欠き部４内に配置され、該切り欠き部４の切り欠き方向に平行し、該切り欠き幅と略同等の長さを有して突出した操作片６と、を備えて、概ね構成されている。
【００１６】
まず、図８（ｂ）を参照して説明すると、錠装置１のケース７内には、例えば図８（ｂ）において左右方向へスライドしてケース７から先端部８がケース７の外側へ突出し、またはケース７内へ退出する様構成されたロックプレート５が設けられている。
【００１７】
ここで、該ロックプレート５は、左右方向に長い略長方形状平板型をなすロックプレート本体１０と、このロックプレート本体１０の幅方向一端側から略垂直方向に立ち上がる立ち上がり片１１とを有して構成されている。
そして、この立ち上がり片１１の略中央部分には略凹状に切り欠かれた切り欠き部４が形成されている。
さらに、本実施例において切り欠かれているのは、立ち上がり片１１についてのみならす、立ち上がり片１１と連結されているロックプレート本体１０の部分についても、前記切り欠き部４との隣接箇所が長方形状に切り欠かれ、前記切り欠き部４に連通する第２切り欠き部１３が設けられている。後述するが、この第２切り欠き部１３を設けたことにより、操作片６の切り欠き部４内での回転動作をよりスムーズにすることができる。
【００１８】
また、ロックプレート本体１０には、図８（ｂ）から理解されるように、その長手方向に一対の長穴９，９が所定の間隔をあけて穿設されており、該長穴９、９にはケース７の底部側から突設されたガイド軸部１２，１２が貫挿し、もって、前記ロックプレート５は長穴９の幅だけ、左右方向へスライドでき、該ロックプレート本体１０の先端部８がケース７の外側への突出動作、またケース７内への退出動作を規制できるよう構成されている。
【００１９】
ここで、立ち上がり片１０の略凹状をなす切り欠き部４及び第２切り欠き部１３内には図８（ｂ）に示すように、棒状回転部材２が前記ロックプレート５の長手方向と略直交するよう、また外側の方向からその先端側が挿入されて設置され、ケース７内に収納されている。そして、この棒状回転部材２の先端側には、該回転部材２の直径の長さを含んだ上で、切り欠き部４の切り欠き幅と略同等の長さを有して前記棒状回転部材２外周から直角に突出した操作片６が設けられている（図９（ｂ）参照）。
【００２０】
ここで、図８に示す状態は、前記ロックプレート５の先端部８が外側に突出して施錠された状態を示す施錠状態説明図である。
しかして、図８（ａ）は、観音開き状扉が閉扉されている状態を平面的に説明した図、また、図８（ｂ）は錠装置１を観音開き状扉の一方側扉１５の裏側に設置した状態を説明する図、さらに図８（ｃ）は、操作片６と切り欠き部４及び第２切り欠き部１３との当接状態によりロックプレート５がスライドする状態を説明し、並びに前記ロックプレート５の先端部８が外側に突出されて、回転型フック状錠部材１８を施錠状態とし、たとえ前述した開扉ハンドルを操作しても、当該ハンドル操作ができない状態を説明した図、さらに図８（ｄ）は、観音開き状扉が閉扉されているとき、その閉扉信号を検知する観音開き状扉開閉検知用マイクロスイッチの構成を説明する説明図である。
【００２１】
この施錠状態では、棒状回転部材２の操作片６が図８（ｂ）において下側に向いた状態となっており（図８（ｃ）参照）、かつ操作片６が設けられている棒状回転部材２の同一周面上の所定部位、すなわち図８では左側外周面２５が切り欠き部４の左側切り欠き壁１４に当接した状態になっている。
【００２２】
ここで、ケース７から突出しまたは退出するロックプレート５の先端部８を錠部材とすれば、かかる構成のみによっても錠装置１が形成できるものとなる。
しかしながら、そのほかに、後述する構成部材を組み合わせることにより、例えばロッカーあるいはキャビネットなどの観音開き状の扉を簡単な構造の錠装置１によって、施錠操作できる簡易錠装置としても構成できることになる。
【００２３】
図８（ａ）において、符号１５は観音開き状の一方側扉を示す。また符号１６は観音開き状の他方側扉を示す。そして、符号１７はロッカーあるいはキャビネットなどの本体に取り付けられている棒状の錠受けであり、符号１８は該錠受け１７に係止して前記観音開き状扉を施錠状態としうる回転型フック状錠部材である。この回転型フック状錠部材１８は観音開き状一方側扉１５の縦方向に取り付けられたロッド棒１９に接続されており、前記ロッド棒１９が軸方向に回転することにより、回転型フック状錠部材１８も回転し、その結果、錠受け１７に係止して施錠状態となるよう構成されている。
【００２４】
そして、通常、観音開き状扉が閉扉されると、ロッド棒１９及び回転型フック状錠部材１８は施錠状態となるように回転力が与えられる構成となっている。しかして、その動作については後述する。
ついで、錠装置１が施錠され、かつ観音開き状の扉１５，１６が閉扉された状態から、前記観音開き状の扉１５，１６を開扉する場合には、例えば他方側扉１６に設けられた開扉ハンドル（図示していない）を操作することにより、該開扉ハンドルに連動するロッド棒１９及び回転型フック状錠部材１８を解錠側に回転させ、もって観音開き状の扉１５，１６が開扉できるようになっている。
【００２５】
しかして、従来からある観音開き状の扉１５，１６を開扉し、解錠状態とすると共に、閉扉すると自動的に施錠状態とする開閉ハンドル型錠部材に、前記の錠装置１を組み合わせてなり、簡易な構成ではあるが、ロッカーあるいはキャビネットなどの観音開き状の扉１５，１６につき、閉扉後に、別途設けた錠装置１を施錠でき、かつ開扉後に別途も受けた錠装置１が所定の入力信号を受けて解錠できる錠装置として構成し、これら観音開き状の扉１５，１６についての錠装置としては信頼性を向上させた錠装置を提供することができたのである。
【００２６】
ここで、符号２０は観音開き状扉１５，１６の開閉を検知する扉開閉検知用マイクロスイッチであり、符号２１は、前記開扉ハンドルが操作されたか否か、すなわち、前記回転型フック状錠部材１８が錠受け１７に係止して施錠状態となったか、あるいは前記回転型フック状錠部材１８が錠受け１７から外れて解錠状態となったか否かを検知する開扉ハンドル操作検知用マイクロスイッチであり、符号２２はモータなど回転装置の回転制御用マイクロスイッチである。
【００２７】
以上において、図８から図１３を参照して、本発明による観音開き状扉１５，１６についての錠装置１の施解錠動作及びそれに関連する閉扉、開扉動作につき説明する。
【００２８】
図８乃至図１３は、本発明の錠装置１を使用した観音開き状扉１５，１６の閉扉、開扉動作及び施解錠動作を表す一実施例を示したもので、図１では観音開き状扉１５，１６が閉扉されてなると共に、観音開き状扉１５，１６の開扉ハンドルが操作できない、いわゆる回転型フック状錠部材１８が錠受け１７に係止して施錠状態となり、その状態から図８（ｃ）に示すように開扉ハンドルを操作して、観音開き状の扉１５，１６を開けることができない状態を示している。
【００２９】
しかして、この状態から図９及び図１０に示すように解錠の操作がなされる。
まず、図８の施錠状態から錠装置１に解錠のための入力操作がなされる。該入力操作については何ら限定されるものではないが、例えばキーボタンを押圧操作することにより、解錠の電気信号などを錠装置１側に送出する操作などによりなされる。すると、回転装置３がその信号を受けて反時計回りに３６０度回転する。この回転動作により操作片６も反時計回りに３６０度回転し、その結果、操作片６が切り欠き部４の左側切り欠き壁１４を押し、ロックプレート５を左側にスライドさせる（図９，図１０参照）。その結果、ロックプレート５の先端部８はケース７内に退出し、解錠できる状態となる。すると、開扉ハンドルは操作できる状態となる。
【００３０】
よって、その後、開扉ハンドルを操作することにより、図１０から理解されるように、回転型フック状錠部材１８を錠受け１７から外し、観音開き状扉１５，１６を観音開きするのである。
【００３１】
なお、前述の解錠した状態から、例えば約３０秒間以内に、観音開き状の扉１５，１６を開けなかった場合には、施錠せよとの信号が回転装置３に与えられ、該回転装置３は３６０度時計回りに回転し、かつ操作片６も３６０度時計回りに回転することとなり、もって施錠された状態となる。
【００３２】
すなわち、操作片６が切り欠き部４の右側切り欠き壁２４を押し、ロックプレート５を右側にスライドさせ、図１２に示すような施錠状態にするのである。
従って、例えば誤って解錠したとき、解錠しようとしたが途中でやめたとき、あるいは誤操作したとき、解錠後に再び施錠状態にするときなど、閉扉して約３０秒間待つことで、自動的に錠装置１を施錠状態にする構成となっているのである。
【００３３】
なお、本錠装置１を解錠し、かつ観音開き状扉１５，１６を開け、その後、再び観音開き状扉を閉め、施錠する操作につき述べる。
【００３４】
前述したように、観音開き状扉１５，１６を開いた後、再び観音開き状の扉１５，１６を閉めると、ロッド棒１９及び回転型フック状錠部材１８が自動的に回転し、錠受け１７に回転型フック状錠部材１９が係止する。そして、その後、錠装置１の施錠操作が行われるのである。
すなわち、観音開き状扉１５，１６を閉めると、ロッド棒１９及び回転型フック状錠部材１８があらかじめ閉める方向に回転力を有して構成されているため、これらが自動的に回転し、錠受け１７に回転型フック状錠部材１８が係止する。すると、開扉ハンドルが自動的に施錠作動し、錠受け１７に回転型フック状錠部材１８が係止したことを開扉ハンドル操作検知用マイクロスイッチ２１が検知する。
【００３５】
さらに、観音開き状扉１５，１６が確実に閉扉されたことを観音開き状扉１５，１６の開閉検知用マイクロスイッチ２０が検知する。
そして、それらマイクロスイッチ２０，２１の信号を受け取った後、たとえば１秒後に、回転装置３を３６０度時計回りに回転させ、錠装置１を施錠状態とするのである。
【００３６】
すなわち、回転装置３が時計回りに３６０度回転する。すると、この回転動作により操作片６も時計回りに３６０度回転し、その結果、操作片６が切り欠き部４の右側切り欠き壁２３を押し、ロックプレート５を右側にスライドさせる（図１２，図１３参照）。その結果、ロックプレート５の先端部８はケース７の外側に突出し、これに対応する部位に設けられたロッド棒１９の回転阻止片２６が前記先端部８に係止し、施錠状態とされることとなるのである。
【００３７】
ところで、各図において符号２４は非常用のシリンダ錠を示す。本実施例において、たとえば電池切れなどで、入力用の電気信号を錠装置１側に送出できないとき、本実施例のロッカーあるいはキャビネットは施錠状態のままとなるおそれがある。従ってそのようなときには、前記シリンダ錠２４を手動で操作し、解錠状態にすることができるのである。
【図面の簡単な説明】
【００３８】
【図１】本発明の第１実施例の概略構成を説明する概略構成説明図（その１）である。
【図２】本発明の第１実施例の概略構成を説明する概略構成説明図（その２）である。
【図３】本発明の第１実施例の概略構成を説明する概略構成説明図（その３）である。
【図４】本発明の第１実施例の概略構成を説明する概略構成説明図（その４）である。
【図５】本発明の第１実施例の概略構成を説明する概略構成説明図（その５）である。
【図６】本発明の第１実施例の概略構成を説明する概略構成説明図（その６）である。
【図７】本発明の第１実施例の概略構成を説明する概略構成説明図（その７）である。
【図８】本発明の第２実施例の概略構成を説明する概略構成説明図（その１）である。
【図９】本発明の第２実施例の概略構成を説明する概略構成説明図（その２）である。
【図１０】本発明の第２実施例の概略構成を説明する概略構成説明図（その３）である。
【図１１】本発明の第２実施例の概略構成を説明する概略構成説明図（その４）である。
【図１２】本発明の第２実施例の概略構成を説明する概略構成説明図（その５）である。
【図１３】本発明の第２実施例の概略構成を説明する概略構成説明図（その６）である。
【符号の説明】
【００３９】
１ 錠装置
２ 棒状回転部材
３ 回転装置 
４ 切り欠き部
５ ロックプレート
６ 操作片
７ ケース 
８ 先端部
９ 長穴
１０ ロックプレート本体
１１ 立ち上がり片
１２ ガイド軸部 
１３ 第２切り欠き部
１４ 左側切り欠き壁
１５ 観音開き状扉の一方側扉
１６ 観音開き状扉の他方側扉
１７ 錠受け
１８ 回転型フック状錠部材
１９ ロッド棒
２０ 観音開き状扉開閉検知用マイクロスイッチ
２１ 開扉ハンドル操作検知用マイクロスイッチ
２２ 回転装置の回転制御用マイクロスイッチ
２３ 右側切り欠き壁
２４ 非常時のシリンダ錠
２５ 左側外周面
２６ 回転阻止片
３０ 揺動板
３１ バネ部材
３２ 軸支部
３３ 貫通孔
３４ 揺動ピン
３５ 切り欠き壁
【図１】
0005036054.tif 000002
【図２】
0005036054.tif 000003
【図３】
0005036054.tif 000004
【図４】
0005036054.tif 000005
【図５】
0005036054.tif 000006
【図６】
0005036054.tif 000007
【図７】
0005036054.tif 000008
【図８】
0005036054.tif 000009
【図９】
0005036054.tif 000010
【図１０】
0005036054.tif 000011
【図１１】
0005036054.tif 000012
【図１２】
0005036054.tif 000013
【図１３】
0005036054.tif 000014